(57)【要約】【解決手段】蓋体１をヒンジピン２により胴体３に開閉自在に装着する。前記ヒンジピン２にヒンジスプリング４を巻着し、このヒンジスプリング４により前記蓋体１を胴体３に対して付勢せしめる。蓋体１内の蓋リング１ａに対して左右方向に補強ピン５を配置する。この補強ピン５を蓋体１の前後方向に配置した補強板６で押し付けて固定する。ヒンジスプリング４の一端を、前記補強ピン５に係止させる。【効果】蓋体１の左右方向の補強を、補強ピン５という極めて簡単な機構のもので行うことができる。蓋体１の全体の強度も増す。従来の場合のように、蓋体の変形によって、生じていたヒンジスプリング４の位置ずれを防止できる。その結果、蓋開閉動作がスムーズとなり、高品質な炊飯ジャーを提供できる。【選択図】　図１
2004008630.tif 000002
【特許請求の範囲】
【請求項１】
蓋体１をヒンジピン２により胴体３に開閉自在に装着するとともに、前記ヒンジピン２にヒンジスプリング４を巻着し、このヒンジスプリング４により前記蓋体１を胴体３に対して付勢せしめた炊飯ジャーにおいて、蓋体１内の蓋リング１ａに対して左右方向に補強ピン５を配置し、この補強ピン５を蓋体１の前後方向に配置した補強板６で押し付けて固定したことを特徴とする炊飯ジャーにおける蓋補強構造。
【請求項２】
二本の補強ピン５，５を炊飯ジャーの内釜中心線に対して前後均等に配置したことを特徴とする請求項１記載の炊飯ジャーにおける蓋補強構造。
【請求項３】
補強ピン５は金属の中実丸棒である請求項１又は２記載の炊飯ジャーにおける蓋補強構造。
【請求項４】
ヒンジピン２に巻着されているヒンジスプリング４の一端を、蓋体１内の蓋リング１ａに対して左右方向に配置した補強ピン５に係止させたことを特徴とする請求項１記載の炊飯ジャーにおける蓋補強構造。
【発明の詳細な説明】
【０００１】
【発明の属する技術分野】
本発明は、蓋体をヒンジピンにより胴体に開閉自在に装着するとともに、前記ヒンジピンにヒンジスプリングを巻着し、このヒンジスプリングにより前記蓋体を胴体に対して付勢せしめる形式の炊飯ジャーに関し、さらに詳しくは、その蓋体の補強構造に関する。
【０００２】
【従来の技術】
炊飯ジャーのなかでも特に圧力タイプの炊飯ジャーでは、使用時に、その蓋体に相当の圧力が掛かる。特に、よりおいしさを顧客が追求するために、炊飯ジャーの内部に掛ける圧力を可能な限り高く設定するようになって来ている。
そして、この圧力により蓋体が変形するのを防止するために、蓋体内に補強板を取り付けている。特に、蓋体の前後方向の変形を防止するために、蓋体の前後方向に左右２つの補強板を、また、蓋体の左右方向の変形を防止するために、前記補強板の上にさらに別の補強板を取り付け、前後方向と左右方向に配置されているこれらの補強板でそれぞれの方向の補強を行っていた（例えば、特開２００２−４４７号公報参照）。
【０００３】
【発明が解決しようとする課題】
このように、蓋体の前後方向と左右方向に別々の補強板を配置することによって、蓋体全体の補強を行おうとする場合には、左右方向に配置すべき補強板の形状が特に複雑になる。なぜならば、この補強板を配置すべきところには、本来、蒸気通路、安全弁、調圧弁、圧力センサ、温度センサなど、蓋の中枢機能ともいうべき各種機器が取り付けられており、そのための形状が非常に複雑になるからである。
本発明の第一の目的は、この補強板部分の機構を比較的簡単なものとするとともに、蓋体の強度を増大ならしめ得るようにすることである。
【０００４】
一方、上述したように、圧力によって蓋体が変形すると、また、炊飯によって蓋体が変形すると、ヒンジピンに巻着されているヒンジスプリングの設置位置が変わり、蓋体の開き角度が異なったり、この蓋体と上述した各種機器との干渉により異常音が発生する場合があった。従来の場合には、図５に示すように、蓋体の一部品である蓋リングにヒンジピンの一端が保持されており、そのために、蓋リングが変形すると、ヒンジピンに巻着されているヒンジスプリングの設置位置が一定しなくなるからである。
本発明の第二の目的は、このような欠点を解消することによって、炊飯ジャーの品質を向上させることである。
【０００５】
【課題を解決するための手段】
上記第一の目的を達成するため、本発明では、蓋体１をヒンジピン２により胴体３に開閉自在に装着するとともに、前記ヒンジピン２にヒンジスプリング４を巻着し、このヒンジスプリング４により前記蓋体１を胴体３に対して付勢せしめた炊飯ジャーにおいて、蓋体１内の蓋リング１ａに対して左右方向に補強ピン５を配置し、この補強ピン５を蓋体１の前後方向に配置した補強板６で押し付けて固定したものである。
この場合には、蓋体１の左右方向の補強を、補強ピン５という極めて簡単な機構のもので行うことができる。そして、この補強ピン５は蓋体１の前後方向に配置されている補強板６で押し付けられて固定されているから、蓋体１の全体の強度も増す。
【０００６】
二本の補強ピン５，５を炊飯ジャーの内釜中心線に対して前後均等に配置することが望ましい。二本の補強ピン５，５をこのように配置することによって、炊飯ジャーの蓋体１を全体にわたって均等に補強できる。
【０００７】
補強ピン５は金属の中実丸棒であることが望ましい。この場合には、金属からなる中実丸棒の補強ピン５で炊飯ジャーの蓋体１を確実に補強できる。
【０００８】
上記第二の目的を達成するため、本発明では、ヒンジピン２に巻着されているヒンジスプリング４の一端を、蓋体１内の蓋リング１ａに対して左右方向に配置した補強ピン５に係止させてある。
このようにすると、蓋体１がたとえ変形していても、その変形とは無関係の補強ピン５によってヒンジスプリング４の一端が保持されている。従って、従来の場合において、蓋体の変形によって生じていたヒンジスプリング４の位置ずれを防止できる。その結果、蓋開閉動作がスムーズとなり、高品質な炊飯ジャーを提供できる。
【０００９】
【発明の実施の形態】
本発明の最も好ましい実施の形態を、図１〜図４に基いて詳細に説明する。
図１に示す炊飯ジャーは、蓋体１をヒンジピン２により胴体３に開閉自在に装着するとともに、前記ヒンジピン２にヒンジスプリング４を巻着し、このヒンジスプリング４により前記蓋体１を胴体３に対して常に開く方向に付勢せしめた形式のものである。
ヒンジピン２の両端は、図２、図３に示すように、蓋体１の内側であって胴体３への装着側に一部分を覆うように取り付け得る蓋ヒンジカバー７の左右の軸受７ａ，７ａで保持されている。そして、このヒンジピン２に巻着されているヒンジスプリング４の一端４ａが、図１及び図４に示すように、胴体３の立壁３ａに係止させてある。この枢着部を利用して蓋体１を胴体３に簡単に装着でき、また、この枢着部により蓋体１は胴体３に対して開閉自在となる。
【００１０】
蓋体１の裏面（内面）周縁部は、図２及び図３に示すように、蓋リング１ａと呼ばれる部分であり、その内方である左右両側（図３では、上下に現れる）には、多数の補強リブ８，８が形成されている。左右両側にある多数の補強リブ８，８の内側であってその左右両側には、蓋体１の前後方向に金属製の補強板６，６がネジ９，９により取り付けられている。左右両側にある多数の補強リブ８，８と左右２つの補強板６，６とによって、プラスチックス製の蓋体１が補強され、加圧炊飯時の圧力に耐え得るようになっている。
そして、左右２つの補強板６，６間の空間部分には、蒸気通路Ａが形成されており、また、調圧弁Ｂ、安全弁Ｃ、センサＤなど、炊飯ジャーの中枢部品である各種機器が配置されている。これらは、炊飯中の内釜１１の圧力を制御し、よりおいしいご飯を得るために用いられる。
【００１１】
また、蓋体１内の前後（図３の左右）両側においてその蓋リング１ａに対して左右方向に補強ピン５，５を配置し、２本の補強ピン５，５の両側をそれぞれ蓋体１の前後方向に配置した左右２つの補強板６，６の水平部分６ａ，６ａ（図４参照）で押し付けて固定してある。
この場合には、蓋体１の左右方向の補強を、補強ピン５という極めて簡単な機構のもので行うことができる。すなわち、２本の補強ピン５，５によって、補強リブ８，８では防止不可能な蓋体１の左右方向のそり上がりを防止できる。そして、２本の補強ピン５，５は蓋体１の前後方向に配置されている左右２つの補強板６，６で押し付けられて固定されているから、プラスチックス製の蓋体１全体の強度も増す。
【００１２】
ここでは、二本の補強ピン５，５が炊飯ジャーの内釜中心線に対して前後均等に配置されている。二本の補強ピン５，５をこのように配置することによって、炊飯ジャーの蓋体１を全体にわたって均等に補強できる。そして、両補強ピン５，５は金属の中実丸棒からなっている。この場合には、金属からなる中実丸棒の補強ピン５で炊飯ジャーの蓋体１を確実に補強できる。
【００１３】
一方、ヒンジピン２に巻着されているヒンジスプリング４の他端４ｂは、図４に示すように、蓋体１の左右方向に配置されている前記補強ピン５に係止させてある。
このようにすると、炊飯により蓋体１が、特に、その一部品である蓋リング１ａがたとえ変形していても、その変形とは無関係の補強ピン５によってヒンジスプリング４の一端４ｂが保持されることになる。
【００１４】
従来の場合には、図６に示すように、ヒンジスプリング４の一端４ｂ’が蓋体１の一部品である蓋リング１ａの一部分１ｂ’で保持されており、そのために、蓋リング１ａが、特に、ヒンジスプリング４の一端４ｂ’を保持している部分１ｂ’が熱や加圧などで変形すると、ヒンジピン２に巻着されているヒンジスプリング４の設置位置が一定しなくなる。
これに対して、本発明の場合のように、ヒンジスプリング４の一端４ｂが蓋リング１ａの変形とは無関係の補強ピン５によって保持されていると、蓋リング１ａがたとえ熱や加圧などで変形したとしても、ヒンジスプリング４の位置ずれは生じない。従って、従来の場合において、蓋体、特に、その一部品である蓋リング１ａの変形によって生じていたヒンジスプリング４の位置ずれを防止できる。その結果、蓋開閉動作がスムーズとなり、高品質な炊飯ジャーを提供できる。
【００１５】
なお、図１に示すように、蓋体１の内側には、胴体３に収容されている内釜１１の上端開放面を閉塞する放熱板１０が装着されている。そして、この放熱板１０とその周囲に取り付けられている放熱板取付リング１０ａとで放熱板パッキン１０ｂを挾んで保持し、それを前記内釜１１の周縁に接触させるとともに、内釜１１をコイルなどの加熱手段１２によって加熱することにより、炊飯の調理を行うことができる。
【００１６】
また、図１、図５に示すように、放熱板１０の内側（図１、図５では、上側に現われる）には、放熱板１０と接触するごとく加熱板１３が配置されており、この加熱板１３には温度センサ１４が設置されている。従来の場合、この温度センサ１４は通常アルミ箔及び両面テープ１５を加熱板１３に添着することによって固定されていたから、ヒータの貼り方によって温度センサ１４の感知にバラツキが生じたり、温度センサ１４が密着していない場合には温度センサ１４付近に空間ができ、その空間内部の温度が異常に上昇するという現象が発生していた。
【００１７】
これに対して、ここでは、図５（ａ），（ｂ）に示すように、蓋リング１ａにリブ１６を形成し、従来の場合のようにアルミ箔及び両面テープ１５だけで固定するのではなく、このリブ１６で温度センサ１４を押えることにより固定してある。このようにすると、温度センサ１４が所定位置より浮くことなくセットできるため、温度センサ１４の感知を安定させ得る。図５（ａ）には、温度センサ１４を覆っているアルミ箔及び両面テープ１５にリブ１６の先端を直接当てて温度センサ１４を押えた場合を、図５（ｂ）には、アルミ箔及び両面テープ１５とリブ１６の先端との間に緩衝材１７を介装した状態で温度センサ１４を押えた場合を示す。いずれの場合とも、上述したように、温度センサ１４が所定位置より浮くことなくセットでき、温度センサ１４の感知を安定させ得る。
【００１８】
【発明の効果】
請求項１記載の発明によれば、蓋体１の左右方向の補強を、補強ピン５という極めて簡単な機構のもので行うことができる。また、この補強ピン５は蓋体１の前後方向に配置されている補強板６で押し付けられて固定されているから、蓋体１の全体の強度も増す。
【００１９】
請求項２記載の発明によれば、炊飯ジャーの蓋体１を全体にわたって均等に補強できる。
【００２０】
請求項３記載の発明によれば、金属からなる中実丸棒の補強ピン５で炊飯ジャーの蓋体１を確実に補強できる。
【００２１】
請求項４記載の発明によれば、蓋体１がたとえ変形していても、その変形とは無関係の補強ピン５によってヒンジスプリング４の一端が保持されているから、従来の場合において、蓋体の変形によって生じていたヒンジスプリング４の位置ずれを防止できる。その結果、蓋開閉動作がスムーズとなり、高品質な炊飯ジャーを提供できる。
【図面の簡単な説明】
【図１】本発明による蓋補強構造を備えている炊飯ジャーの一例を示す全体の拡大縦断面図である。
【図２】蓋体の一部を切り欠いて示す全体の斜視図である。
【図３】蓋体を裏側から見た拡大図で、一部を切り欠いて示す。
【図４】補強ピンの配置状態、ならびに、補強ピンとヒンジスプリングとの係合状態を示す拡大縦断面図である。
【図５】加熱板に設置されている温度センサを、蓋リングに形成されているリブで押えた状態を示す拡大断面図で、特に、（ａ）は、温度センサを覆っているアルミ箔及び両面テープにリブの先端を直接当てて温度センサを押えた場合を、（ｂ）は、アルミ箔及び両面テープとリブの先端との間に緩衝材を介装した状態で温度センサを押えた場合を示す。
【図６】ヒンジスプリングの一端が蓋体の一部品である蓋リングの一部分で保持されている状態を示す従来例の拡大縦断面図である。
【符号の説明】
１…蓋体、１ａ…蓋リング、２…ヒンジピン、３…胴体、４…ヒンジスプリング、５…補強ピン、６…補強板。
【図１】
2004008630.tif 000003
【図２】
2004008630.tif 000004
【図３】
2004008630.tif 000005
【図４】
2004008630.tif 000006
【図５】
2004008630.tif 000007
【図６】
2004008630.tif 000008